(57)【要約】  送風ユニット（１０）は、電動モータ（２０）と、ファン（３０）と、スクロールケーシング（４０）と、を備える。スクロールケーシングには、上壁部（４２）に、通風路（４００）の巻き始めを規定するノーズ部（４０２）を形成する凹部（４２３）が設けられている。スクロールケーシングには、通風路におけるファンの空気流れ下流側に連通して通風路を流れる気流の一部を電動モータに供給する空気供給空間（５１）を形成する空気供給部（５０）が設けられている。スクロールケーシングには、空気供給部を介さずに凹部の内側空間と通風路とを連通させる連通穴（４２４）が設けられている。空気供給部には、空気供給空間への水の侵入を抑える侵入抑制部（５４）が設けられている。
2018042789.tif 000002
【特許請求の範囲】
【請求項１】
車両に搭載される送風ユニットであって、
回転軸（２２）を有する電動モータ（２０）と、
前記回転軸の軸方向の一方側から吸い込んだ空気を前記回転軸の径方向の外側に吹き出すファン（３０）と、
前記ファンが収容されると共に、渦巻き状の通風路（４００）が形成されたスクロールケーシング（４０）と、を備え、
前記スクロールケーシングは、空気を吸入する空気吸入部（４２１、４２２）が形成された上壁部（４２）、前記上壁部に連なる側壁部（４４）、前記上壁部に対向すると共に前記側壁部に連なる底壁部（４６）を含んで構成されており、
前記スクロールケーシングには、
前記上壁部（４２）に前記通風路の巻き始めを規定するノーズ部（４０２）を形成する凹部（４２３）と、
前記通風路における前記ファンの空気流れ下流側に連通して前記通風路を流れる気流の一部を前記電動モータに供給する空気供給空間（５１）を形成する空気供給部（５０）と、
前記空気供給部を介さずに前記凹部の内側空間と前記通風路とを連通させる連通穴（４２４）と、が設けられており、
前記空気供給部には、前記空気供給空間への水の侵入を抑える侵入抑制部（５４）が設けられている送風ユニット。
【請求項２】
前記空気供給空間は、前記空気供給部に形成された供給用開口部（５２）を介して前記通風路に連通しており、
前記侵入抑制部は、前記供給用開口部における前記連通穴の近くに位置する部位の一部を閉塞する少なくとも１つのリブ（５４１）を含んで構成されている請求項１に記載の送風ユニット。
【請求項３】
前記リブには、上下方向に延びるスリット状の排水穴（５４１ａ）が形成されている請求項２に記載の送風ユニット。
【請求項４】
前記空気供給空間は、前記空気供給部に形成された供給用開口部（５２）を介して前記通風路に連通しており、
前記侵入抑制部は、前記空気供給空間がラビリンス構造となるように、下方側から上方側に向かって延びる下方側リブ（５４２）および上方側から下方側に向かって延びる上方側リブ（５４３）を含んで構成されている請求項１に記載の送風ユニット。
【請求項５】
前記下方側リブには、上下方向に延びるスリット状の排水穴（５４２ａ）が形成されている請求項４に記載の送風ユニット。
【請求項６】
前記スクロールケーシングには、前記連通穴から前記底壁部に向かって延びる排水ガイド溝（４２５）が形成されている請求項１ないし５のいずれか１つに記載の送風ユニット。
【発明の詳細な説明】
【関連出願への相互参照】
【０００１】
本出願は、２０１６年８月２９日に出願された日本出願番号２０１６−１６６９５２号に基づくものであって、ここにその記載内容を援用する。
【技術分野】
【０００２】
本開示は、車両に搭載される送風ユニットに関する。
【背景技術】
【０００３】
従来、スクロールケーシングにおけるノーズ部を形成する凹部に溜まった水を、電動モータに空気を供給する空間を介して、スクロールケーシング内部の通風路に排出するように構成された送風ユニットが知られている（例えば、特許文献１参照）。
【先行技術文献】
【特許文献】
【０００４】
【特許文献１】特開２０１１−１０６３７２号公報
【発明の概要】
【０００５】
ところで、特許文献１では、電動モータに空気を供給する空間に水が流れることになるので、電動モータが被水し易くなってしまう。電動モータの被水は、電動モータの作動不良を招く要因となることから好ましくない。
【０００６】
本開示は、電動モータの被水を抑えつつ、スクロールケーシングにおけるノーズ部を形成する凹部に溜まった水を通風路に排出可能な送風ユニットを提供することを目的とする。
【０００７】
本開示は、車両に搭載される送風ユニットを対象としている。
【０００８】
本開示の１つの観点によれば、送風ユニットは、
回転軸を有する電動モータと、
回転軸の軸方向の一方側から吸い込んだ空気を回転軸の径方向外側に吹き出すファンと、
ファンが収容されると共に、渦巻き状の通風路が形成されたスクロールケーシングと、を備える。
【０００９】
スクロールケーシングは、空気を吸入する空気吸入部が形成された上壁部、上壁部に連なる側壁部、上壁部に対向すると共に側壁部に連なる底壁部を含んで構成されている。
【００１０】
スクロールケーシングには、
上壁部に通風路の巻き始めを規定するノーズ部を形成する凹部と、
通風路におけるファンの空気流れ下流側に連通して通風路を流れる気流の一部を電動モータに供給する空気供給空間を形成する空気供給部と、
空気供給部を介さずに凹部の内側空間と通風路とを連通させる連通穴と、が設けられている。そして、空気供給部には、空気供給空間への水の侵入を抑える侵入抑制部が設けられている。
【００１１】
これによれば、スクロールケーシングの凹部に溜まった水が直接的に通風路に排水される構造となるので、凹部に侵入した水が直接的に空気供給空間に流入することがない。さらに、空気供給部には、通風路側から空気供給空間への水の侵入を抑える侵入抑制部が設けられている。
【００１２】
従って、本開示の送風ユニットによれば、電動モータの被水を抑えつつ、スクロールケーシングに形成された凹部に溜まった水を通風路に排出することができる。
【図面の簡単な説明】
【００１３】
【図１】第１実施形態の送風ユニットの模式的な斜視図である。
【図２】第１実施形態の送風ユニットの模式的な上面図である。
【図３】図２のＩＩＩ−ＩＩＩ断面図である。
【図４】図２のＩＶ−ＩＶ断面図である。
【図５】図４のＶ−Ｖ断面図である。
【図６】第１実施形態の送風ユニットにおける凹部に溜まった水の流れを説明するための説明図である。
【図７】図４のＶＩＩ−ＶＩＩ断面図である。
【図８】第１実施形態の送風ユニットにおける通風路から空気供給部への冷却風の流れを説明するための説明図である。
【図９】第２実施形態の空気供給部付近の模式的な断面図である。
【図１０】図９の矢印Ｘで示す方向における模式的な矢視図である。
【発明を実施するための形態】
【００１４】
以下、本開示の実施形態について図面を参照して説明する。なお、以下の実施形態において、先行する実施形態で説明した事項と同一もしくは均等である部分には、同一の参照符号を付し、その説明を省略する場合がある。また、実施形態において、構成要素の一部だけを説明している場合、構成要素の他の部分に関しては、先行する実施形態において説明した構成要素を適用することができる。以下の実施形態は、特に組み合わせに支障が生じない範囲であれば、特に明示していない場合であっても、各実施形態同士を部分的に組み合わせることができる。
【００１５】
（第１実施形態）
本実施形態について、図１〜図８を参照して説明する。本実施形態では、車室内を空調する車両用空調装置に対して、本開示の送風ユニット１０を適用した例について説明する。なお、図面中の上下を示す矢印ＤＲｘは、車両に搭載した状態における上下方向を示している。
【００１６】
図１および図２に示す送風ユニット１０は、車室内に吹き出す気流を発生させるものである。送風ユニット１０は、図３に示すように、送風ユニット１０は、電動モータ２０、ファン３０、およびスクロールケーシング４０を備えている。
【００１７】
電動モータ２０は、ファン３０を回転させる電動機である。電動モータ２０は、ファン３０に連結された回転軸２２と、回転軸２２を回転駆動するモータ本体部２４とを備えている。電動モータ２０は、例えば、ブラシ付きの直流モータで構成されている。なお、電動モータ２０は、ブラシ付きの直流モータに限らず、ブラシレスモータ、交流モータ等で構成されていてもよい。なお、図３では、電動モータ２０の回転中心である軸心ＭＣを一点鎖線で示している。なお、電動モータ２０の軸心ＭＣの延びる方向は、回転軸２２の軸方向となっている。
【００１８】
電動モータ２０は、モータカバー２６によってその底面側の部位が覆われている。モータカバー２６は、スクロールケーシング４０に連結されている。モータカバー２６とスクロールケーシング４０との間には、電動モータ２０を冷却する冷却風Ｆｃが流れる冷却風通路２８が形成されている。冷却風通路２８は、ファン３０で発生させた気流の一部を冷却風Ｆｃとして電動モータ２０に導く通路である。
【００１９】
ファン３０は、気流を発生させる気流発生部である。ファン３０は、図３の太線矢印Ｆａに示すように、回転軸２２の軸方向の一方側から吸い込んだ空気を回転軸２２の径方向ＤＲｙの外側に吹き出す遠心ファン（例えば、シロッコファン、ターボファン）で構成されている。ファン３０は、スクロールケーシング４０の内部に収容されている。
【００２０】
本実施形態のファン３０は、電動モータの軸心ＭＣの周りに配置された複数のブレード３１、複数のブレード３１それぞれの一端側を連結する側板３２、および複数のブレード３１それぞれの他端側を連結する主板３３を有している。
【００２１】
側板３２は、中央部が開口する円環状の部材で構成されている。側板３２には、後述するスクロールケーシング４０のベルマウス部４２２から吸い込まれた空気をファン３０に導入する導入部として機能する。
【００２２】
主板３３は、その中央部に回転軸２２に連結するボス部３３１が設けられている。本実施形態の主板３３は、その中央部が側板３２側に向かって突出する円錐面形状をなしている。なお、主板３３の形状は、円形の平面形状となっていてもよい。
【００２３】
スクロールケーシング４０は、送風ユニット１０の外殻を構成する。スクロールケーシング４０は、樹脂製の複数のケース分割体を有しており、当該ケース分割体同士を組み付けることで構成されている。具体的には、本実施形態のスクロールケーシング４０は、上方側ケース部４０Ａおよび下方側ケース部４０Ｂを有し、当該ケース部４０Ａ、４０Ｂがビスやスナップフィット等の締結部材によって締結されることで構成されている。
【００２４】
図２に示すように、スクロールケーシング４０の内部には、ファン３０の径方向ＤＲｙの外側に渦巻き状の通風路４００が形成されている。スクロールケーシング４０には、渦巻き状の通風路４００の巻き始めを規定するノーズ部４０２が設けられている。通風路４００は、ノーズ部４０２付近において、空気流れ上流側と空気流れ下流側とが僅かな隙間を介して連通している。
【００２５】
図１に示すように、本実施形態のスクロールケーシング４０は、上壁部を構成するベルマウスプレート４２、ベルマウスプレート４２に連なる側壁部４４、およびベルマウスプレート４２に対向すると共に側壁部４４に連なる底壁部４６を含んで構成されている。
【００２６】
図３に示すように、ベルマウスプレート４２には、ファン３０の側板３２に対向する位置に、空気を吸入する空気吸入口４２１が形成されている。そして、ベルマウスプレート４２には、空気を吸入する空気吸入口４２１の周縁部にベルマウス部４２２が形成されている。ベルマウス部４２２は、空気吸入口４２１に空気が流れ易くなるように、空気流れ上方側に向かって内径が徐々に大きくなっている。本実施形態では、空気吸入口４２１およびベルマウス部４２２が、空気を吸入する空気吸入部を構成している。
【００２７】
また、ベルマウスプレート４２には、図２、図３に示すように、ノーズ部４０２を形成する凹部４２３が形成されている。凹部４２３は、ベルマウスプレート４２のベルマウス部４２２側から底壁部４６側に向かって窪んだ形状を有している。
【００２８】
側壁部４４は、送風ユニット１０において、回転軸２２の径方向ＤＲｙの外側に露出する外殻を構成している。側壁部４４は、回転軸２２の軸心ＭＣのまわりにおいて螺旋状に形成された壁部で構成されている。
【００２９】
底壁部４６は、ベルマウスプレート４２および側壁部４４と共に、通風路４００を形成する壁部である。また、底壁部４６は、モータカバー２６と共に、冷却風通路２８を形成する壁部でもある。本実施形態の底壁部４６には、ファン３０の主板３３に対向する部位に、電動モータ２０のモータ本体部２４を保持するモータホルダ４６１が取り付けられている。
【００３０】
ここで、送風ユニット１０には、雨や洗車等によって外部から水が入り込み、当該水がベルマウスプレート４２に溜まることがある。本実施形態のベルマウスプレート４２には、凹部４２３が設けられていることから、特に凹部４２３に水が溜まり易くなる。
【００３１】
このため、本実施形態のスクロールケーシング４０には、凹部４２３に通風路４００と凹部４２３の内側空間とを連通させる連通穴４２４が設けられている。凹部４２３に溜まった水は、連通穴４２４を介して通風路４００に排出される。本実施形態の連通穴４２４は、図４に示すように、スクロールケーシング４０の上方側ケース部４０Ａにおける下方側ケース部４０Ｂと接する部位に形成されている。
【００３２】
また、本実施形態の連通穴４２４は、通風路４００に排出された水とファン３０とが干渉しないように、図２に示すように、凹部４２３における通風路４００の空気流れ下流側に位置する部位に形成されている。具体的には、本実施形態の連通穴４２４は、凹部４２３におけるファン３０に対向しない部位に形成されている。
【００３３】
また、本実施形態の連通穴４２４は、凹部４２３からの排水性を向上させるために、図５に示すように、凹部４２３の下方側の部位に設けられている。なお、連通穴４２４の大きさは、通風路４００を流れる気流が連通穴４２４を介して凹部４２３の内側空間に逆流し難い大きさに設定されている。
【００３４】
また、本実施形態のスクロールケーシング４０には、連通穴４２４から底壁部４６に向かって延びる排水ガイド溝４２５が形成されている。本実施形態の排水ガイド溝４２５は、上下方向ＤＲｘに延びる溝で形成されている。本実施形態の排水ガイド溝４２５は、スクロールケーシング４０の下方側ケース部４０Ｂに形成されている。
【００３５】
これにより、本実施形態のスクロールケーシング４０では、凹部４２３に溜まった水が、図６の矢印ＦＷに示すように、連通穴４２４を介して通風路４００に排出される。そして、連通穴４２４を介して通風路４００に排出された水は、排水ガイド溝４２５に沿ってスクロールケーシング４０の底壁部４６に向かって流れる。
【００３６】
ここで、本実施形態のスクロールケーシング４０には、図２に示すように、通風路４００を流れる気流の一部を、冷却風通路２８を介して電動モータ２０に供給する空気供給空間５１を形成する空気供給部５０が設けられている。空気供給部５０は、ベルマウスプレート４２に形成された凹部４２３の径方向ＤＲｙの外側に隣接するように設けられている。
【００３７】
空気供給部５０には、図４、図７に示すように、通風路４００と空気供給空間５１とを連通させる供給用開口部５２が形成されている。供給用開口部５２は、空気供給部５０における通風路４００に面する部位に形成されている。供給用開口部５２は、スクロールケーシング４０における連通穴４２４よりも空気流れ下流側の位置に形成されている。
【００３８】
また、空気供給部５０には、空気供給空間５１の空気を冷却風通路２８に導く筒状の導風パイプ部５３が設けられている。導風パイプ部５３は、空気供給部５０の底部に溜まった水が流入しないように、その上端側の開口が空気供給部５０の底部よりも上方側に位置している。
【００３９】
さらに、空気供給部５０には、空気供給空間５１への水の侵入を抑える侵入抑制部５４が設けられている。本実施形態の侵入抑制部５４は、供給用開口部５２における連通穴４２４の近くに位置する部位の一部を閉塞するリブ５４１で構成されている。
【００４０】
リブ５４１は、図７に示すように、空気供給部５０の底部から上方に向かって突出している。リブ５４１は、その上方側に供給用開口部５２が形成されるように、その上端部がスクロールケーシング４０の壁面から離れている。
【００４１】
リブ５４１には、空気供給空間５１に溜まった水を通風路４００に排水する排水穴５４１ａが形成されている。排水穴５４１ａは、上下方向に延びるスリット状の穴で構成されている。排水穴５４１ａは、リブ５４１における連通穴４２４から離れた位置に形成されている。
【００４２】
本実施形態のリブ５４１は、図４に示すように、その上端側の位置ＨＵ１が、連通穴４２４の上端側の位置ＨＵ２よりも上方に位置するように構成されている。換言すれば、本実施形態の連通穴４２４は、その上端側の位置ＨＵ２が、リブ５４１の上端側の位置ＨＵ１よりも下方に位置するように構成されている。これにより、連通穴４２４から通風路４００に排出された水が、空気供給空間５１に流入する気流と共に空気供給空間５１に侵入することを抑制可能となる。
【００４３】
また、本実施形態の排水穴５４１ａは、その下端側の位置ＨＬ１が、排水ガイド溝４２５の下端側の位置ＨＬ２よりも上方に位置するように構成されている。排水ガイド溝４２５を流れる水が、排水穴５４１ａを介して空気供給空間５１に侵入することを抑制可能となる。
【００４４】
次に、本実施形態の送風ユニット１０の作動について説明する。送風ユニット１０は、電動モータ２０の回転軸２２の回転に伴ってファン３０が回転する。これにより、図３に示すように、ファン３０では、回転軸２２の軸方向の一端側から吸い込まれた空気が径方向ＤＲｙの外側の通風路４００に吹き出される。
【００４５】
通風路４００に吹き出された空気の一部は、図８に示すように、空気供給部５０の供給用開口部５２を介して空気供給空間５１に流入する。この際、供給用開口部５２には、侵入抑制部５４としてリブ５４１が設けられているので、通風路４００に存在する水の侵入が抑制される。
【００４６】
空気供給空間５１に流入した空気は、図３に示すように、導風パイプ部５３および冷却風通路２８を介して電動モータ２０に供給される。これにより、電動モータ２０が冷却される。
【００４７】
以上説明した本実施形態の送風ユニット１０は、スクロールケーシング４０の凹部４２３に溜まった水が直接的に通風路４００に排水される構造となっている。このため、凹部４２３に溜まった水が直接的に空気供給空間５１に流入することがない。
【００４８】
さらに、空気供給部５０には、通風路４００側から空気供給空間５１への水の侵入を抑える侵入抑制部５４が設けられている。このため、本実施形態の送風ユニット１０では、通風路４００に存在する水が、供給用開口部５２を介して空気供給空間５１に侵入することを抑制可能となる。
【００４９】
従って、本実施形態の送風ユニット１０では、電動モータ２０の被水を抑えつつ、スクロールケーシング４０の凹部４２３に溜まった水を通風路４００に適切に排出することができる。
【００５０】
具体的には、本実施形態の送風ユニット１０は、侵入抑制部５４を供給用開口部５２における連通穴４２４の近くに位置する部位の一部を閉塞するリブ５４１で構成している。このように、供給用開口部５２における連通穴４２４の近くに位置する部位の一部をリブ５４１で閉塞する構成とすれば、連通穴４２４から通風路４００に排出された水が供給用開口部５２を介して空気供給空間５１に侵入してしまうことを抑えることができる。
【００５１】
また、本実施形態のリブ５４１には、上下方向に延びるスリット状の排水穴５４１ａが形成されている。これにより、本実施形態の送風ユニット１０では、供給用開口部５２を介して空気供給空間５１に水が侵入したとしても、空気供給空間５１に侵入した水が排水穴５４１ａを介して通風路４００に排水されるので、電動モータ２０の被水を充分に抑えることができる。
【００５２】
さらに、本実施形態のスクロールケーシング４０には、連通穴４２４から底壁部４６に向かって延びる排水ガイド溝４２５が形成されているので、連通穴４２４から通風路４００に排出された水が排水ガイド溝４２５に沿って底壁部４６に向かって流れ易くなる。このため、本実施形態の送風ユニット１０では、連通穴４２４から通風路４００に排出された水が、供給用開口部５２を介して、電動モータ２０側に流入することを充分に抑制することができる。
【００５３】
（第２実施形態）
次に、第２実施形態について、図９、図１０を参照して説明する。本実施形態の送風ユニット１０は、空気供給部５０の構造が第１実施形態と相違している。図９は、本実施形態の空気供給部５０付近の模式的な断面図であり、第１実施形態の図７に対応している。
【００５４】
図９に示すように、本実施形態の空気供給部５０は、空気供給空間５１への水の侵入を抑える侵入抑制部５４が複数のリブ５４２、５４３で構成されている。具体的には、本実施形態の侵入抑制部５４は、空気供給空間５１がラビリンス構造となるように、下方側から上方側に向かって延びる下方側リブ５４２、および上方側から下方側に向かって延びる上方側リブ５４３で構成されている。
【００５５】
下方側リブ５４２は、供給用開口部５２における連通穴４２４の近くに位置する部位の一部を閉塞するリブで構成されている。具体的には、下方側リブ５４２は、第１実施形態のリブ５４１と同様のリブで構成されている。
【００５６】
本実施形態の下方側リブ５４２には、図１０に示すように、上下方向に延びるスリット状の排水穴５４２ａが形成されている。この排水穴５４２ａは、第１実施形態で説明した排水穴５４１ａと同様に構成されているため、その説明を省略する。
【００５７】
図９に戻り、上方側リブ５４３は、下方側リブ５４２よりも通風路４００から離れた位置に形成されている。具体的には、上方側リブ５４３は、空気供給空間５１における供給用開口部５２と導風パイプ部５３との間に形成されている。
【００５８】
また、上方側リブ５４３は、その下方側に冷却風が流れる隙間が形成されるように、その下端部が空気供給部５０の底部から離れている。具体的には、本実施形態の上方側リブ５４３は、その下端側の位置ＨＬが、導風パイプ部５３の上端側の位置ＨＵよりも下方に位置するように構成されている。これにより、空気供給空間５１に存在する水が、導風パイプ部５３の内部に侵入することを抑制可能となる。
【００５９】
その他の構成は、第１実施形態と同様である。本実施形態の送風ユニット１０は、第１実施形態と共通の構成から奏される作用効果を第１実施形態の送風ユニット１０と同様に得ることができる。
【００６０】
本実施形態の送風ユニット１０は、侵入抑制部５４が下方側から上方側に向かって延びる下方側リブ５４２、および上方側から下方側に向かって延びる上方側リブ５４３で構成されている。
【００６１】
このため、本実施形態の送風ユニット１０では、空気供給部５０の供給用開口部５２を介して空気供給空間５１に流入した空気が、空気供給空間５１にて上下に蛇行した後に導風パイプ部５３に流れる。このように、空気供給空間５１がラビリンス構造となるように構成されていれば、連通穴４２４から通風路４００に排出された水が、空気供給空間５１を介して電動モータ２０側に流入することを充分に抑制することができる。
【００６２】
また、本実施形態の下方側リブ５４２には、上下方向に延びるスリット状の排水穴５４２ａが形成されている。これにより、本実施形態の送風ユニット１０では、供給用開口部５２を介して空気供給空間５１に水が侵入したとしても、空気供給空間５１に侵入した水が排水穴５４１ａを介して通風路４００に排水されるので、電動モータ２０の被水を充分に抑えることができる。
【００６３】
（他の実施形態）
以上、本開示の代表的な実施形態について説明したが、本開示は、上述の実施形態に限定されることなく、例えば、以下のように種々変形可能である。
【００６４】
上述の第１実施形態では、侵入抑制部５４を供給用開口部５２における連通穴４２４の近くに位置する部位の一部を閉塞するリブ５４１で構成する例について説明したが、これに限定されない。例えば、侵入抑制部５４を構成するリブ５４１は、連通穴４２４から離れた部位の一部を閉塞するように配置されていてもよい。
【００６５】
上述の第１実施形態の如く、リブ５４１に排水穴５４１ａを形成することが望ましいが、これに限らず、侵入抑制部５４は、リブ５４１に排水穴５４１ａが形成されていない構成となっていてもよい。
【００６６】
上述の第１実施形態の如く、スクロールケーシング４０に排水ガイド溝４２５を形成することが望ましいが、これに限らず、スクロールケーシング４０は、排水ガイド溝４２５が形成されていない構成となっていてもよい。
【００６７】
上述の第２実施形態では、侵入抑制部５４を下方側リブ５４２および上方側リブ５４３という２つのリブで構成する例について説明したが、これに限定されない。侵入抑制部５４は、３つ以上のリブで構成されていてもよい。また、侵入抑制部５４は、上下方向ＤＲｘに延びるリブに限らず、上下方向ＤＲｘに交差する方向に延びるリブを含んで構成されていてもよい。
【００６８】
上述の第２実施形態の如く、下方側リブ５４２に排水穴５４２ａを形成することが望ましいが、これに限らず、侵入抑制部５４は、下方側リブ５４２に排水穴５４２ａが形成されていない構成となっていてもよい。
【００６９】
上述の実施形態において、実施形態を構成する要素は、特に必須であると明示した場合および原理的に明らかに必須であると考えられる場合等を除き、必ずしも必須のものではないことは言うまでもない。
【００７０】
上述の実施形態において、実施形態の構成要素の個数、数値、量、範囲等の数値が言及されている場合、特に必須であると明示した場合および原理的に明らかに特定の数に限定される場合等を除き、その特定の数に限定されない。
【００７１】
上述の実施形態において、構成要素等の形状、位置関係等に言及するときは、特に明示した場合および原理的に特定の形状、位置関係等に限定される場合等を除き、その形状、位置関係等に限定されない。
【００７２】
（まとめ）
上述の実施形態の一部または全部で示された第１の観点によれば、送風ユニットは、スクロールケーシングに、空気供給部を介さずに凹部の内側空間と通風路とを連通させる連通穴が設けられている。そして、空気供給部には、空気供給空間への水の侵入を抑える侵入抑制部が設けられている。
【００７３】
また、第２の観点によれば、送風ユニットは、空気供給空間が、空気供給部に形成された供給用開口部を介して通風路に連通している。そして、侵入抑制部は、供給用開口部における連通穴の近くに位置する部位の一部を閉塞する少なくとも１つのリブを含んで構成されている。
【００７４】
このように、侵入抑制部を供給用開口部における連通穴の近くに位置する部位の一部がリブによって閉塞される構成となっていれば、連通穴から通風路に排出された水が空気供給空間に侵入してしまうことを抑えることができる。
【００７５】
また、第３の観点によれば、送風ユニットは、リブに上下方向に延びるスリット状の排水穴が形成されている。これによれば、供給用開口部を介して空気供給空間に水が侵入したとしても、空気供給空間に侵入した水が排水穴を介して通風路に排水されるので、電動モータの被水を充分に抑えることができる。
【００７６】
また、第４の観点によれば、送風ユニットは、空気供給空間が、空気供給部に形成された供給用開口部を介して通風路に連通している。そして、侵入抑制部は、空気供給空間がラビリンス構造となるように、下方側から上方側に向かって延びる下方側リブおよび上方側から下方側に向かって延びる上方側リブを含んで構成されている。
【００７７】
このように、空気供給空間がラビリンス構造となるように構成されていれば、連通穴から通風路に排出された水が、空気供給空間を介して電動モータ側に流入することを充分に抑制することができる。
【００７８】
また、第５の観点によれば、送風ユニットは、下方側リブに上下方向に延びるスリット状の排水穴が形成されている。これによれば、供給用開口部を介して空気供給空間に水が侵入したとしても、空気供給空間に侵入した水が排水穴を介して通風路に排水されるので、電動モータの被水を充分に抑えることができる。
【００７９】
また、第６の観点によれば、送風ユニットは、スクロールケーシングに連通穴から底壁部に向かって延びる排水ガイド溝が形成されている。これによれば、連通穴から通風路に排出された水が排水ガイド溝に沿って底壁部に向かって流れ易くなる。このため、連通穴から通風路に排出された水が、供給用開口部を介して、電動モータ側に流入することを充分に抑制することができる。
【図１】
2018042789.tif 000003
【図２】
2018042789.tif 000004
【図３】
2018042789.tif 000005
【図４】
2018042789.tif 000006
【図５】
2018042789.tif 000007
【図６】
2018042789.tif 000008
【図７】
2018042789.tif 000009
【図８】
2018042789.tif 000010
【図９】
2018042789.tif 000011
【図１０】
2018042789.tif 000012
【国際調査報告】
2018042789.tif 000013
2018042789.tif 000014
2018042789.tif 000015
2018042789.tif 000016